【手続補正書】
【提出日】平成25年8月30日(2013.8.30)
【手続補正１】
【補正対象書類名】明細書
【補正対象項目名】００１１
【補正方法】変更
【補正の内容】
【００１１】
上記課題を解決する本発明は、色材を含有するインクを吐出するための複数のノズルが所定方向に配列された第１のノズル列と、画像の光沢性を調整するための画質向上液を吐出するための複数のノズルが所定方向に配列された第２のノズル列と、を有する記録ヘッドを用い、記録ヘッドを所定方向と交差する主走査方向に移動させつつ当該記録ヘッドからインクおよび画質向上液の少なくとも一方を記録媒体に吐出する記録走査を記録媒体の単位領域に複数回行うことにより、記録媒体に画像を記録するインクジェット記録装置であって、少なくとも１回以上の第１の記録走査において、インクを吐出し、かつ、インクにより形成される画像の光沢が均一化されるように画像の光沢性を調整するための画質向上液を吐出し、第１の記録走査よりも後の少なくとも１回以上の第２の記録走査において、光沢性が均一化された画像の一部の光沢を低下させるように画像の光沢性を調整するための画質向上液を吐出するように記録ヘッドを制御する制御手段を備えることを特徴とするインクジェット記録装置である。
【手続補正２】
【補正対象書類名】特許請求の範囲
【補正対象項目名】全文
【補正方法】変更
【補正の内容】
【特許請求の範囲】
【請求項１】
色材を含有するインクを吐出するための複数のノズルが所定方向に配列された第１のノズル列と、画像の光沢性を調整するための画質向上液を吐出するための複数のノズルが前記所定方向に配列された第２のノズル列と、を有する記録ヘッドを用い、前記記録ヘッドを前記所定方向と交差する主走査方向に移動させつつ当該記録ヘッドから前記インクおよび前記画質向上液の少なくとも一方を記録媒体に吐出する記録走査を前記記録媒体の単位領域に複数回行うことにより、前記記録媒体に画像を記録するインクジェット記録装置であって、
少なくとも１回以上の第１の記録走査において、前記インクを吐出し、かつ、前記インクにより形成される画像の光沢が均一化されるように画像の光沢性を調整するための画質向上液を吐出し、前記第１の記録走査よりも後の少なくとも１回以上の第２の記録走査において、前記光沢性が均一化された画像の一部の光沢を低下させるように画像の光沢性を調整するための画質向上液を吐出するように前記記録ヘッドを制御する制御手段を備えることを特徴とするインクジェット記録装置。
【請求項２】
前記第１の記録走査を複数回数行い、前記制御手段は、前記複数回数の前記第１の記録走査のそれぞれにおいて前記インクを吐出し、かつ、前記複数回数の前記第１の記録走査のそれぞれにおいて前記画質向上液を吐出するように前記記録ヘッドを制御することを特徴とする請求項１に記載のインクジェット記録装置。
【請求項３】
前記制御手段は、
前記第１の記録走査において前記記録ヘッドが前記インクを吐出するように制御するための第１の記録データを、前記複数回数の前記第１の記録走査それぞれでのインクの吐出量を決定するための第１のマスクパターンを用いて作成する第１のデータ生成手段と、
前記第１の記録走査において前記記録ヘッドが前記画質向上液を吐出するように制御するための第２の記録データを、前記複数回数の前記第１の記録走査それぞれでのインクの吐出量を決定するための第２のマスクパターンを用いて作成する第２のデータ生成手段と、
を備えることを特徴とする請求項２に記載のインクジェット記録装置。
【請求項４】
前記単位領域に対して前記第２の記録走査を複数回行い、
前記制御手段は、前記複数回数の前記第２の記録走査のそれぞれにおいて前記画質向上液を吐出するように前記記録ヘッドを制御し、
前記制御手段は、前記第２の記録走査において前記記録ヘッドが前記画質向上液を吐出するように制御するための第３の記録データを、前記複数回数の前記第２の記録走査それぞれでのインクの吐出量を決定するための第３のマスクパターンを用いて作成する第３のデータ生成手段を備えることを特徴とする請求項１から３のいずれか１項に記載のインクジェット記録装置。
【請求項５】
前記複数回数の前記第１の記録走査の回数と、前記複数回数の前記第２の記録走査の回数と、が異なることを特徴とする請求項４に記載のインクジェット記録装置。
【請求項６】
前記複数回数の前記第１の記録走査の回数は、前記複数回数の前記第２の記録走査の回数よりも多いことを特徴とする請求項５に記載のインクジェット記録装置。
【請求項７】
前記記録走査と次の前記記録走査との間に前記主走査方向と交差する搬送方向に前記記録媒体を搬送する搬送手段を備え、
前記制御手段は、前記第１の記録走査において、前記第１のノズル列における前記搬送方向の上流側に位置するノズルから前記単位領域に前記インクを吐出し、前記第２のノズル列における前記搬送方向の上流側に位置するノズルから前記単位領域に前記画質向上液を吐出し、かつ前記第２の記録走査時において、前記第２のノズル列における前記搬送方向の下流側に位置するノズルから前記単位領域に前記画質向上液を吐出するように前記記録ヘッドを制御する請求項１から６のいずれか１項に記載のインクジェット記録装置。
【請求項８】
前記制御手段が前記第１の記録走査において前記画質向上液を吐出することを許容する前記第２のノズル列における前記ノズルの数は、前記インクを吐出する前記第１のノズル列における前記ノズルの数と同一であり、かつ前記第２の記録走査において前記画質向上液を吐出することを許容する可能な前記ノズルの数以上であることを特徴とする請求項７項に記載のインクジェット記録装置。
【請求項９】
前記制御手段は前記第１の記録走査と前記第２の記録走査とで同じ前記画質向上液を前記単位領域に吐出することを特徴とする請求項１から８のいずれか１項に記載のインクジェット記録装置。
【請求項１０】
光沢を低下させる前記一部により画像に装飾効果が与えられることを特徴とする請求項１から９のいずれか１項に記載のインクジェット記録装置。
【請求項１１】
色材を含有するインクを吐出するための複数のノズルが所定方向に配列された第１のノズル列と、画像の光沢性を調整するための画質向上液を吐出するための複数のノズルが前記所定方向に配列された第２のノズル列と、を有する記録ヘッドを用い、前記記録ヘッドを前記所定方向と交差する主走査方向に移動させつつ当該記録ヘッドから前記インクおよび前記画質向上液の少なくとも一方を記録媒体に吐出する記録走査を前記記録媒体の単位領域に複数回行うことにより、前記記録媒体に画像を記録するインクジェット記録方法であって、
少なくとも１回以上の第１の記録走査において、前記インクを吐出し、かつ、前記インクにより形成される画像の光沢が均一化されるように前記画質向上液を吐出し、前記第１の記録走査よりも後の少なくとも１回以上の第２の記録走査において、前記光沢性が均一化された画像の一部の光沢を低下させるように前記画質向上液を吐出することを特徴とするインクジェット記録方法。
【請求項１２】
前記第１の記録走査を複数回数行い、前記複数回数の前記第１の記録走査のそれぞれにおいて前記インクを吐出し、かつ、前記複数回数の前記第１の記録走査のそれぞれにおいて前記画質向上液を吐出することを特徴とする請求項１０に記載のインクジェット記録方法。
【請求項１３】
前記第１の記録走査と前記第２の記録走査とで同じ前記画質向上液を前記単位領域に吐出することを特徴とする請求項１１または１２に記載のインクジェット記録方法。
【請求項１４】
光沢を低下させる前記一部により画像に装飾効果が与えられることを特徴とする請求項１１から１３のいずれか１項に記載のインクジェット記録方法。